(57)【要約】【課題】受信された変調信号を復号する受信機で、周波数偏差による１シンボル当たりの位相回転を精度良く推定する。【解決手段】遅延検波手段１が変調信号を遅延検波し、位相回転手段Ａ１〜Ａｎが遅延検波結果に対して所定の位相回転を与え、復号手段Ｂ１〜Ｂｎが位相回転後の信号を復号し、照合手段Ｃ１〜Ｃｎ、Ｄ１〜Ｄｎが復号結果と同期パターンとを照合し、変調成分除去手段Ｅ１〜Ｅｎが復号結果に基づいて位相回転後の信号の変調成分を除去し、角度取得手段Ｆ１〜Ｆｎ、Ｇ１〜Ｇｎが変調成分除去後の信号に基づいて角度を取得し、角度調整手段Ｈ１〜Ｈｎが当該角度に対して前記所定の位相回転とは逆の位相回転に相当する角度を加え、初期位相判定手段２が照合結果により同期パターンが検出された場合に角度調整手段により取得された角度を初期位相と判定する。【選択図】  図１
2008154078.tif 000002
【特許請求の範囲】
【請求項１】
受信された変調信号を復号する受信機において、
前記受信された変調信号を遅延検波する遅延検波手段と、
前記遅延検波手段により取得された遅延検波結果の信号に対して所定の位相回転を与える位相回転手段と、
前記位相回転手段により位相回転が与えられた信号を復号する復号手段と、
前記復号手段により取得された復号結果と所定の同期パターンとを照合する照合手段と、
前記復号手段により取得された復号結果に基づいて前記位相回転手段により位相回転が与えられた信号に含まれる変調成分を除去する変調成分除去手段と、
前記変調成分除去手段により変調成分が除去された信号に基づいて角度を表す信号を取得する角度取得手段と、
前記角度取得手段により取得された信号により表される角度に対して前記位相回転手段により与えられた前記所定の位相回転とは逆の位相回転に相当する角度を加えた結果の角度を表す信号を取得する角度調整手段と、
前記照合手段による照合結果により前記所定の同期パターンが検出された場合に前記角度調整手段により取得された信号により表される角度を初期位相と判定する初期位相判定手段と、
を備えたことを特徴とする受信機。
【請求項２】
請求項１に記載の受信機において、
前記位相回転手段と前記復号手段と前記照合手段と前記変調成分除去手段と前記角度取得手段と前記角度調整手段を有する処理部を複数備え、
前記複数の処理部では、それぞれ、前記位相回転手段により与える前記所定の位相回転の値が異なっており、
前記初期位相判定手段は、前記複数の処理部の前記照合手段による照合結果を監視して、いずれかの処理部の前記照合手段による照合結果により前記所定の同期パターンが検出された場合に、当該処理部の前記角度調整手段により取得された信号により表される角度を初期位相と判定する、
ことを特徴とする受信機。
【発明の詳細な説明】
【技術分野】
【０００１】
本発明は、例えば、π／４シフトＱＰＳＫの方式により受信信号を遅延検波する受信機に関し、特に、周波数偏差による１シンボル当たりの位相回転を精度良く推定する受信機に関する。
【背景技術】
【０００２】
例えば、無線通信を行う移動体通信システムの無線機における受信機では、デジタル変調信号を復調する際に、遅延検波が一般に用いられている。遅延検波を用いた受信方式では、周波数偏差がある場合には、例えば誤り率が劣化して、受信信号を正確に復調することができなくなるため、受信周波数を自動的に送信周波数に合わせるための自動周波数制御（ＡＦＣ：Ａｕｔｏｍａｔｉｃ  Ｆｒｅｑｕｅｎｃｙ  Ｃｏｎｔｒｏｌ）が必要となる。
【０００３】
しかしながら、同期（例えば、ワード同期）が外れている場合には、周波数偏差が不明であるため、ＡＦＣを制御することができない。例えば、変調方式がＱＰＳＫ（Ｑｕａｄｒａｔｕｒｅ  Ｐｈａｓｅ  Ｓｈｉｆｔ  Ｋｅｙｉｎｇ）又はπ／４シフトＱＰＳＫである場合には、コンスタレーションの隣接点間の位相の差が±π／４であるため、周波数偏差による１シンボル当たりの位相回転が±π／４以内でなければ、ビット相関を使用して同期ワードを検出することができない。
そこで、遅延検波後の信号に所定の位相回転を与えて、周波数偏差が大きい場合においても同期ワードを検出することが可能な構成が一般に採用されている。
【０００４】
図３には、初期位相検出回路の構成例を示してある。
なお、図３では、説明の便宜上から、後述する本発明に係る実施例で参照する図１に示されるのと概略的に同様な構成部については、同一の符号を付してあるが、本発明を不要に限定する意図は無い。
図３に示される初期位相検出回路は、遅延検波部１と、複数であるｎ個の処理部Ｗ１〜Ｗｎと、位相検出部１１を備えている。
各処理部Ｗ１〜Ｗｎには、それぞれ、１個の乗算器（本例では、複素乗算器）Ａ１〜Ａｎと、１個の判定復号部Ｂ１〜Ｂｎと、１個のシフトレジスタＣ１〜Ｃｎと、１個の同期ワード照合部Ｄ１〜Ｄｎを備えている。
【０００５】
本例の初期位相検出回路において行われる動作の一例を示す。
受信信号から得られた複素ベースバンド信号（受信複素ベースバンド信号）が遅延検波部１に入力される。
遅延検波部１は、入力された受信複素ベースバンド信号を遅延検波して、その結果（遅延検波後の信号）を各乗算器Ａ１〜Ａｎへ出力する。この遅延検波では、例えば、受信複素ベースバンド信号と、当該受信複素ベースバンド信号を１シンボル遅延させた複素共役信号とを乗算（本例では、複素乗算）する。
【０００６】
各乗算器Ａ１〜Ａｎは、遅延検波部１から入力された信号に対して所定の値ｅｊθ１〜ｅｊθｎの信号を乗算（本例では、複素乗算）することで所定の位相回転θ１〜θｎを与え、その乗算結果を各判定復号部Ｂ１〜Ｂｎへ出力する。
例えば、ｎ＝３である場合には、θ１＝−π／４、θ２＝０、θ３＝＋π／４のように設定される。
【０００７】
各判定復号部Ｂ１〜Ｂｎは、各乗算器Ａ１〜Ａｎから入力された信号（各位相回転が与えられた遅延検波後の信号）を閾値判定して、ビット信号（ビット系列の信号）へ復号し、その結果を各シフトレジスタＣ１〜Ｃｎへ出力する。
例えば、変調方式がπ／４シフトＱＰＳＫである場合には、図２に示されるように、ｘ軸とｙ軸が判定の閾値となり、１シンボルが２ビットに復号される。
【０００８】
各シフトレジスタＣ１〜Ｃｎは、各判定復号部Ｂ１〜Ｂｎから入力された復号後のビット信号を格納する。
各同期ワード照合部Ｄ１〜Ｄｎは、各シフトレジスタＣ１〜Ｃｎに格納されたビット信号と所定の同期ワードのビットパターンの信号とを照合し、その照合結果を示す信号を位相検出部１１へ出力する。一例として、ビットパターンの相関の度合い（一致度）が閾値以上となる場合（又は、閾値を超える場合）に同期ワードを検出したと判定することができる。
【０００９】
位相検出部１１は、ｎ個の同期ワード照合部Ｄ１〜Ｄｎから入力される信号により各照合結果を監視し、いずれかの同期ワード照合部Ｄｉ（ｉ＝１〜ｎ）で同期ワードが検出された場合には、当該同期ワード照合部Ｄｉに対応した位相回転を引き戻す回転量である当該位相回転のマイナス値（−θｉ）を求めて、これを初期位相として出力する。
例えば、ｎ＝３で、θ１＝−π／４、θ２＝０、θ３＝＋π／４の位相回転を与えたときに、θ１の位相回転を与えた系の同期ワード照合部Ｄ１で同期ワードが検出された場合には、出力される初期位相の値が−θ１＝＋π／４となる。
【００１０】
以上のように、図３に示される初期位相検出回路では、周波数偏差が大きい場合においても、同期ワードを検出することが可能であり、更に、周波数偏差による１シンボル当たりの位相回転をｎ個の位相回転θ１〜θｎの中から推定することができるため、同期ワードの検出時点からＡＦＣを制御することが可能となる。
【００１１】
【特許文献１】特開２００３−２３４７９１号公報
【発明の開示】
【発明が解決しようとする課題】
【００１２】
しかしながら、図３に示されるような初期位相検出回路では、位相回転の数であるｎの値が小さいと初期位相を粗く推定してしまい、逆にｎの値を大きくすると複数の位相回転で同期ワードが検出されやすくなってしまい、いずれにおいても、初期位相の推定精度が低くなってしまい、ＡＦＣの追従時間が長くなってしまうという問題があった。
【００１３】
本発明は、このような従来の事情に鑑み為されたもので、例えば、遅延検波を行うに際して、周波数偏差による１シンボル当たりの位相回転を精度良く推定することができる受信機を提供することを目的とする。
【課題を解決するための手段】
【００１４】
上記目的を達成するため、本発明では、受信された変調信号を復号する受信機において、次のような構成とした。
すなわち、遅延検波手段が、前記受信された変調信号を遅延検波する。位相回転手段が、前記遅延検波手段により取得された遅延検波結果の信号に対して、所定の位相回転を与える。復号手段が、前記位相回転手段により位相回転が与えられた信号を復号する。照合手段が、前記復号手段により取得された復号結果と所定の同期パターンとを照合する。変調成分除去手段が、前記復号手段により取得された復号結果に基づいて、前記位相回転手段により位相回転が与えられた信号に含まれる変調成分を除去する。角度取得手段が、前記変調成分除去手段により変調成分が除去された信号に基づいて、角度を表す信号を取得する。角度調整手段が、前記角度取得手段により取得された信号により表される角度に対して前記位相回転手段により与えられた前記所定の位相回転とは逆の位相回転に相当する角度を加えた結果の角度を表す信号を取得する。初期位相判定手段が、前記照合手段による照合結果により前記所定の同期パターンが検出された場合に、前記角度調整手段により取得された信号により表される角度を初期位相と判定する。
従って、例えば、遅延検波を行うに際して、周波数偏差による１シンボル当たりの位相回転（初期位相）を精度良く推定することができ、これにより、ＡＦＣを高速に追従させることが可能である。
【００１５】
ここで、変調の方式としては、例えば、π／４シフトＱＰＳＫの方式が用いられるが、他の方式が用いられてもよい。
また、所定の位相回転としては、種々な位相回転の値が用いられてもよい。
また、所定の同期パターンとしては、種々なパターンが用いられてもよく、一例として、同期ワードのビットパターンが用いられる。
また、復号結果と同期パターンとの照合では、例えば、これらの一致度が所定の閾値以上となった場合（或いは、所定の閾値を超えた場合）に所定の同期パターンを検出したと判定する。
また、角度取得手段では、例えば、変調成分が除去された信号（複素信号）をその角度を表す信号へ変換して取得し、この場合に、例えば複数である所定のシンボル数に相当する時間などの所定の期間に渡って平均化が行われてもよい。
【００１６】
本発明に係る受信機では、一構成例として、次のような構成とした。
すなわち、前記位相回転手段と前記復号手段と前記照合手段と前記変調成分除去手段と前記角度取得手段と前記角度調整手段を有する処理部を複数備える。
前記複数の処理部では、それぞれ、前記位相回転手段により与える前記所定の位相回転の値が異なっている。
前記初期位相判定手段は、前記複数の処理部の前記照合手段による照合結果を監視して、いずれかの処理部の前記照合手段による照合結果により前記所定の同期パターンが検出された場合に、当該処理部の前記角度調整手段により取得された信号により表される角度を初期位相と判定する。
従って、例えば、周波数偏差が大きい場合においても同期パターン（例えば、同期ワード）を検出することが可能であり、更に、同期パターンの検出時点で周波数偏差による１シンボル当たりの位相回転（初期位相）を精度良く推定することができるため、ＡＦＣを高速に追従させることが可能である。
【００１７】
ここで、複数の処理部の数としては、種々な数が用いられてもよい。
また、各処理部の位相回転手段により与える位相回転の値としては、それぞれ、種々な値が用いられてもよい。
【発明の効果】
【００１８】
以上説明したように、本発明に係る受信機によると、例えば、遅延検波を行うに際して、周波数偏差による１シンボル当たりの位相回転（初期位相）を精度良く推定することができ、これにより、ＡＦＣを高速に追従させることが可能である。
【発明を実施するための最良の形態】
【００１９】
本発明に係る実施例を図面を参照して説明する。
【実施例１】
【００２０】
本発明の第１実施例を説明する。
図１には、本発明の一実施例に係る受信機に設けられた初期位相検出回路の構成例を示してある。
本例の初期位相検出回路は、遅延検波部１と、複数であるｎ個の処理部Ｖ１〜Ｖｎと、セレクタ２を備えている。
各処理部Ｖ１〜Ｖｎには、それぞれ、１個の乗算器（本例では、複素乗算器）Ａ１〜Ａｎと、１個の判定復号部Ｂ１〜Ｂｎと、１個のシフトレジスタＣ１〜Ｃｎと、１個の同期ワード照合部Ｄ１〜Ｄｎと、１個の変調成分除去部Ｅ１〜Ｅｎと、１個の角度変換部Ｆ１〜Ｆｎと、１個の平均部Ｇ１〜Ｇｎと、１個の加算器Ｈ１〜Ｈｎを備えている。
【００２１】
本例の受信機では、送信側でπ／４シフトＱＰＳＫの方式により変調されてアンテナから無線送信された信号をアンテナにより受信し、受信した信号を復調する。
図２には、π／４シフトＱＰＳＫの判定復号結果の一例を示してある。
本例では、複素平面（ＩＱ平面）を表すｘｙ座標上において、ビット値「１１」のシンボル点が＋π／４の位置にあり、ビット値「０１」のシンボル点が＋３π／４の位置にあり、ビット値「１０」のシンボル点が−π／４の位置にあり、ビット値「００」のシンボル点が−３π／４の位置にある。
【００２２】
本例の初期位相検出回路において行われる動作の一例を示す。
受信信号から得られた複素ベースバンド信号（受信複素ベースバンド信号）が遅延検波部１に入力される。
遅延検波部１は、入力された受信複素ベースバンド信号を遅延検波して、その結果（遅延検波後の信号）を各乗算器Ａ１〜Ａｎへ出力する。この遅延検波では、例えば、受信複素ベースバンド信号と、当該受信複素ベースバンド信号を１シンボル遅延させた複素共役信号とを乗算（本例では、複素乗算）する。
【００２３】
各乗算器Ａ１〜Ａｎは、遅延検波部１から入力された信号に対して所定の値ｅｊθ１〜ｅｊθｎの信号を乗算（本例では、複素乗算）することで所定の位相回転θ１〜θｎを与え、その乗算結果を各判定復号部Ｂ１〜Ｂｎ及び各変調成分除去部Ｅ１〜Ｅｎへ出力する。
例えば、ｎ＝３である場合には、θ１＝−π／４、θ２＝０、θ３＝＋π／４のように設定される。
【００２４】
各判定復号部Ｂ１〜Ｂｎは、各乗算器Ａ１〜Ａｎから入力された信号（各位相回転が与えられた遅延検波後の信号）を閾値判定して、ビット信号（ビット系列の信号）へ復号し、その結果を各シフトレジスタＣ１〜Ｃｎ及び各変調成分除去部Ｅ１〜Ｅｎへ出力する。
例えば、変調方式がπ／４シフトＱＰＳＫである場合には、図２に示されるように、ｘ軸とｙ軸が判定の閾値となり、１シンボルが２ビットに復号される。
【００２５】
各シフトレジスタＣ１〜Ｃｎは、各判定復号部Ｂ１〜Ｂｎから入力された復号後のビット信号を格納する。
各同期ワード照合部Ｄ１〜Ｄｎは、各シフトレジスタＣ１〜Ｃｎに格納されたビット信号と所定の同期ワードのビットパターンの信号とを照合し、その照合結果を示す信号をセレクタ２へ出力する。一例として、ビットパターンの相関の度合い（一致度）が閾値以上となる場合（又は、閾値を超える場合）に同期ワードを検出したと判定することができる。
【００２６】
各変調成分除去部Ｅ１〜Ｅｎは、各判定復号部Ｂ１〜Ｂｎから入力された判定復号結果を用いて、各乗算器Ａ１〜Ａｎから入力された信号に対して位相回転を与えることでその変調成分を除去し、その結果の信号を各角度変換部Ｆ１〜Ｆｎへ出力する。
例えば、図２に示されるように変調方式がπ／４シフトＱＰＳＫである場合には、判定復号結果が「１１」であるときには−π／４だけ乗算器Ａ１〜Ａｎからの入力信号を回転させ、判定復号結果が「０１」であるときには−３π／４だけ乗算器Ａ１〜Ａｎからの入力信号を回転させ、判定復号結果が「１０」であるときには＋π／４だけ乗算器Ａ１〜Ａｎからの入力信号を回転させ、判定復号結果が「００」であるときには＋３π／４だけ乗算器Ａ１〜Ａｎからの入力信号を回転させる。
これにより、周波数偏差や雑音が無い理想的な受信状態では変調成分除去後の信号は正のｘ軸上へ移動し、周波数偏差がある場合には当該周波数偏差に応じて変調成分除去後の信号の向きがｘ軸から離れる。
【００２７】
各角度変換部Ｆ１〜Ｆｎは、各変調成分除去部Ｅ１〜Ｅｎから入力された信号（複素信号でありベクトル）をその角度（例えば、ラジアン）を表す信号へ変換して各平均部Ｇ１〜Ｇｎへ出力する。ここで、角度変換の式としては、例えば、ｔａｎ−１（ｙ／ｘ）を用いることができる。
各平均部Ｇ１〜Ｇｎは、各角度変換部Ｆ１〜Ｆｎから入力された信号により表される角度を複数のシンボル期間に渡って平均化して雑音成分を除去し、その平均化結果を各加算器Ｈ１〜Ｈｎへ出力する。
【００２８】
各加算器Ｈ１〜Ｈｎは、各平均部Ｇ１〜Ｇｎから入力された信号（角度の平均化結果）とそれぞれに対応した乗算器Ａ１〜Ａｎで与えた各回転角度のマイナス値−θ１〜−θｎとを加算し、すなわち、角度の平均化結果からそれぞれに対応した乗算器Ａ１〜Ａｎで与えた各回転角度θ１〜θｎを差し引き、その結果をセレクタ２へ出力する。各加算器Ｈ１〜Ｈｎから出力される信号は、周波数偏差による１シンボル当たりの位相回転角度を表す。
【００２９】
セレクタ２は、ｎ個の同期ワード照合部Ｄ１〜Ｄｎから入力される信号により各照合結果を監視し、いずれかの同期ワード照合部Ｄｉ（ｉ＝１〜ｎ）で同期ワードが検出された場合には、当該同期ワード照合部Ｄｉに対応した加算器Ｈｉから入力された信号（位相回転角度）を選択して、これを初期位相として出力する。
上記のような処理により、本例の初期位相検出回路では、例えば、周波数偏差が大きい場合においても、いずれかの同期ワード照合部Ｄ１〜Ｄｎで同期ワードを検出し、同時に、周波数偏差による１シンボル当たりの位相回転を精度良く推定することができる。
【００３０】
ここで、各乗算器Ａ１〜Ａｎに入力される各位相回転θ１〜θｎを与えるための所定の値ｅｊθ１〜ｅｊθｎの信号は、例えば、単位ベクトルによるロテータから出力されて各乗算器Ａ１〜Ａｎに入力され、或いは、予め設定されてメモリに記憶されており当該メモリから出力されて各乗算器Ａ１〜Ａｎに入力される。
また、各加算器Ｈ１〜Ｈｎに入力される各回転角度のマイナス値−θ１〜−θｎは、例えば、前記したロテータからの出力信号に基づいて生成されて各加算器Ｈ１〜Ｈｎに入力され、或いは、前記したロテータに設定された各位相回転の値θ１〜θｎに合わせて予め設定されてメモリに記憶されており当該メモリから出力されて各加算器Ｈ１〜Ｈｎに入力される。
【００３１】
以上のように、本例では、デジタル変調方式を使用する受信機に設けられた初期位相検出回路において、受信複素ベースバンド信号を遅延検波した信号に複数の所定の位相回転を与えて、それぞれの位相回転を与えた信号について個別に、ビット系列へ復号した後に同期ワードパターンとビット単位で照合し、これとともに、前記復号の結果に基づいて前記所定の位相回転を与えた信号から変調成分を除去して１シンボル当たりの位相回転を検出し、これに対して更に前記所定の位相回転に相当する位相回転分を除去して１シンボル当たりの周波数偏差による位相回転を検出する。そして、いずれかの位相回転を与えた信号から同期ワードパターンが検出された場合には、当該位相回転を与えた信号から検出された１シンボル当たりの周波数偏差による位相回転を初期位相とする。
【００３２】
具体的には、本例の受信機に設けられた初期位相検出回路では、受信複素ベースバンド信号と当該受信複素ベースバンド信号を１シンボル遅延させた複素共役信号とを乗算する遅延検波部１と、遅延検波部１からの遅延検波出力に所定の位相回転を与えるｎ個の乗算器Ａ１〜Ａｎと、ｎ個の乗算器Ａ１〜Ａｎに対応して設置されて各乗算器Ａ１〜Ａｎからの出力を閾値判定してビット信号へ復号するｎ個の判定復号部Ｂ１〜Ｂｎと、ｎ個の判定復号部Ｂ１〜Ｂｎに対応して設置されて各判定復号部Ｂ１〜Ｂｎから出力されるビット信号を保持するｎ個のシフトレジスタＣ１〜Ｃｎと、ｎ個のシフトレジスタＣ１〜Ｃｎに対応して設置されて各シフトレジスタＣ１〜Ｃｎに保持されたビット信号と所定の同期ワードパターンとをビット単位で照合して照合結果を出力するｎ個の同期ワード照合部Ｄ１〜Ｄｎと、ｎ個の乗算器Ａ１〜Ａｎに対応して設置されて各判定復号部Ｂ１〜Ｂｎからの判定復号結果に基づいて各乗算器Ａ１〜Ａｎからの出力から変調成分を除去するｎ個の変調成分除去部Ｅ１〜Ｅｎと、ｎ個の変調成分除去部Ｅ１〜Ｅｎに対応して設置されて各変調成分除去部Ｅ１〜Ｅｎからの複素出力を角度へ変換するｎ個の角度変換部Ｆ１〜Ｆｎと、ｎ個の角度変換部Ｆ１〜Ｆｎに対応して設置されて各角度変換部Ｆ１〜Ｆｎからの角度出力を複数シンボル時間に渡って平均化するｎ個の平均部Ｇ１〜Ｇｎと、ｎ個の平均部Ｇ１〜Ｇｎに対応して設置されて各平均部Ｇ１〜Ｇｎからの平均角度出力から各乗算器Ａ１〜Ａｎで与えた位相回転角度を差し引いて周波数偏差による１シンボル当たりの位相回転角度を出力するｎ個の加算器Ｈ１〜Ｈｎと、ｎ個の同期ワード照合部Ｄ１〜Ｄｎからの照合結果を監視していずれかの同期ワード照合部Ｄｉで同期ワードが検出された場合には当該同期ワード照合部Ｄｉと対応して設置された加算器Ｈｉからの位相回転角度出力を選択して初期位相として出力するセレクタ２と、を備えた。
【００３３】
従って、本例の受信機に設けられた初期位相検出回路では、デジタル変調信号の復調処理において、同期捕捉中にＡＦＣを制御するに際して、例えば、周波数偏差が大きい場合においても同期ワードを検出することが可能であり、更に、同期ワードの検出時点で周波数偏差による１シンボル当たりの位相回転（初期位相）を精度良く推定することができるため、ＡＦＣを高速に追従させることが可能である。
【００３４】
なお、本例の受信機に設けられた初期位相検出回路では、遅延検波部１の機能により遅延検波手段が構成されており、各乗算器Ａ１〜Ａｎの機能により位相回転手段が構成されており、各判定復号部Ｂ１〜Ｂｎの機能により復号手段が構成されており、各シフトレジスタＣ１〜Ｃｎや各同期ワード照合部Ｄ１〜Ｄｎの機能により照合手段が構成されており、各変調成分除去部Ｅ１〜Ｅｎの機能により変調成分除去手段が構成されており、各角度変換部Ｆ１〜Ｆｎや各平均部Ｇ１〜Ｇｎの機能により角度取得手段が構成されており、各加算器Ｈ１〜Ｈｎの機能により角度調整手段が構成されており、セレクタ２の機能により初期位相判定手段が構成されている。
【実施例２】
【００３５】
本発明の第２実施例を説明する。
本例では、上記した第１実施例で示したような初期位相検出回路を設けた受信機の適用例を示す。
一例として、少なくとも１つの基地局装置と複数の移動端末装置（又は、少なくとも１つの移動端末装置）を有する無線による移動体通信システムにおいて、前記した移動端末装置は、上記した第１実施例で示した初期位相検出回路を設けた受信機を備え、これにより初期位相制御を行って、位相の補償（周波数の補償）を行う。また、本例の移動体通信システムでは、例えば、π／４シフトＱＰＳＫの方式を使用して、ＳＣＰＣ（Ｓｉｎｇｌｅ  Ｃｈａｎｎｅｌ  Ｐｅｒ  Ｃａｒｒｉｅｒ）の方式により、基地局装置と移動端末装置との間で無線通信が行われる。
【００３６】
図４には、本例の移動端末装置に備えられた受信機の構成例を示してある。
なお、本例の移動端末装置には、例えば、送信機などの他の機能も備えられているが、本例では、詳しい説明を省略する。
本例の移動端末装置の受信機は、アンテナ３１と、受信部３２と、図１に示されるのと同様な遅延検波部１と、判定復号部３３と、図１に示されるのと同様なｎ個の処理部Ｖ１〜Ｖｎ及びセレクタ２を有する周波数誤差検出部３４と、ローカル周波数発生器３５を備えている。
【００３７】
本例の受信機において行われる動作の一例を示す。
アンテナ３１は、送信側の通信装置から無線により送信された信号を受信して受信部３２へ出力する。
ローカル周波数発生器３５は、例えば、周波数シンセサイザを用いて構成されており、外部からの制御信号により可変に制御される周波数（受信周波数）の信号を発生させて、その信号を受信部３２へ出力する。
受信部３２は、ローカル周波数発生器３５から入力された信号を用いてアンテナ３１から入力された受信信号を例えばベースバンド（ＢＢ：Ｂａｓｅ  Ｂａｎｄ）信号或いは中間周波数（ＩＦ：Ｉｎｔｅｒｍｅｄｉａｔｅ  Ｆｒｅｑｕｅｎｃｙ）信号へ変換する処理などを行い、その結果を遅延検波部１へ出力する。
【００３８】
遅延検波部１は、受信部３２から入力された信号を遅延検波して、その結果を判定復号部３３及び周波数誤差検出部３４へ出力する。
判定復号部３３は、遅延検波部１から入力された信号を復号して受信データを取得する。なお、他の構成例として、判定復号部３３を備えずに、周波数誤差検出部３４が有する処理部Ｖ１〜Ｖｎに備えられた判定復号部Ｂ１〜Ｂｎの機能を用いて受信データを復号するような構成とされてもよい。
【００３９】
周波数誤差検出部３４は、遅延検波部１から入力された信号に基づいて周波数誤差の情報或いは周波数誤差に関する情報（例えば、初期位相の情報）を取得し、取得した情報に基づいてローカル周波数発生器３５により発生させる信号の周波数を制御するための制御信号を生成して、その制御信号をローカル周波数発生器３５へ出力する。本例では、受信周波数と送信周波数（送信側の通信装置で使用されている送信信号の周波数）とを合わせるように制御する。
【００４０】
なお、周波数誤差検出部３４では、周波数誤差の情報或いは周波数誤差に関する情報を検出するための種々な機能を備えてもよく、一例として、ｎ個の処理部Ｖ１〜Ｖｎ及びセレクタ２を用いて初期位相の情報を検出することができる。また、このような初期位相の情報を検出する機能と、他の手法により周波数誤差の情報或いは周波数誤差に関する情報を検出する機能との両方を周波数誤差検出部３４に備えて、これら複数の機能を切り替えて使用するような構成とされてもよい。
【００４１】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４２】
【図１】本発明の一実施例に係る受信機に設けられた初期位相検出回路の構成例を示す図である。
【図２】π／４シフトＱＰＳＫの判定復号結果の一例を示す図である。
【図３】初期位相検出回路の構成例を示す図である。
【図４】移動端末装置の受信機の構成例を示す図である。
【符号の説明】
【００４３】
１・・遅延検波部、  ２・・セレクタ、  １１・・位相検出部、  ２１・・移動端末装置、  ３１・・アンテナ、  ３２・・受信部、  ３３・・判定復号部、  ３４・・周波数誤差検出部、  ３５・・ローカル周波数発生器、  Ａ１〜Ａｎ・・乗算器、  Ｂ１〜Ｂｎ・・判定復号部、  Ｃ１〜Ｃｎ・・シフトレジスタ、  Ｄ１〜Ｄｎ・・同期ワード照合部、  Ｅ１〜Ｅｎ・・変調成分除去部、  Ｆ１〜Ｆｎ・・角度変換部、  Ｇ１〜Ｇｎ・・平均部、  Ｈ１〜Ｈｎ・・加算器、  Ｖ１〜Ｖｎ、Ｗ１〜Ｗｎ・・処理部、
【図１】
2008154078.tif 000003
【図２】
2008154078.tif 000004
【図３】
2008154078.tif 000005
【図４】
2008154078.tif 000006